(57)【要約】 【課題】  電源の電力を有効に活用することができ、利用者に対する利便性を向上することができる電子カメラ装置を提供する。【解決手段】  利用者によって電源キーが操作され、電子カメラ装置１の電源の切断指示が入力されると、バッテリ制御部７は、通信部４が画像データファイルの送信動作を行っているか否かを検出する。バッテリ制御部７は、通信部４が画像データファイルの送信動作を行っていることを検出したとき、通信部４およびメモリ部３への駆動電力の供給を続行し、かつ電子カメラ装置本体部２への駆動電力の供給を停止するように、バッテリ６を制御する。また、バッテリ制御部７は、通信部４が画像データファイルの送信動作を行っていないことを検出したとき、少なくとも電子カメラ装置本体部２、通信部４およびメモリ部３への駆動電力の供給を停止するように、バッテリ６を制御する。【選択図】      図１
2005223543.tif 000002
【特許請求の範囲】
【請求項１】
画像を撮像して画像データを生成する撮像手段を有する電子カメラ装置本体と、
生成された画像データをファイル化して記憶する記憶手段と、
記憶手段に記憶された画像データファイルを選択する画像データファイル選択手段と、
記憶手段に記憶された画像データファイルのうち、画像データファイル選択手段によって選択された画像データファイルを送信先に送信する通信手段と、
利用者によって操作され、少なくとも電子カメラ装置の電源の投入および切断の指示が入力される操作手段と、
少なくとも電子カメラ装置本体、記憶手段および通信手段に対して駆動電力を供給するための電源手段と、
利用者によって操作手段から電源の切断の指示が入力された場合、通信手段が画像データファイルの送信動作を行っているか否かを検出し、
通信手段が送信動作を行っていることを検出したとき、通信手段および記憶手段への駆動電力の供給を続行し、かつ電子カメラ装置本体への駆動電力の供給を停止するように、電源手段を制御し、
通信手段が送信動作を行っていないことを検出したとき、少なくとも電子カメラ装置本体、通信手段および記憶手段への駆動電力の供給を停止するように、電源手段を制御する電源制御手段とを含むことを特徴とする電子カメラ装置。
【請求項２】
前記通信手段は、記憶手段の使用状況が所定の送信条件を満たすときに、記憶手段に記憶された画像データファイルのうち、画像データファイル選択手段によって選択された画像データファイルを送信先に送信することを特徴とする請求項１記載の電子カメラ装置。
【請求項３】
前記電子カメラ装置本体は、記憶手段に記憶された画像データファイルのファイル数を計数する計数手段を有し、
前記所定の送信条件とは、計数手段によって計数された前記画像データファイルのファイル数が予め定めるファイル数以上となるファイル数条件であることを特徴とする請求項２記載の電子カメラ装置。
【請求項４】
前記電子カメラ装置本体は、記憶手段の容量に対する記憶手段に記憶されているすべての画像データファイルのデータ量の割合を表す使用率を検出する使用率検出手段を有し、
前記所定の送信条件とは、使用率検出手段によって検出された使用率が予め定める使用率以上となる使用率条件であることを特徴とする請求項２記載の電子カメラ装置。
【請求項５】
前記電子カメラ装置本体は、記憶手段に記憶されているすべての画像データファイルのデータ量を検出するデータ量検出手段を有し、
前記所定の送信条件とは、データ量検出手段によって検出された前記画像データファイルのデータ量が予め定めるデータ量以上となるデータ量条件であることを特徴とする請求項２記載の電子カメラ装置。
【請求項６】
利用者の操作によって、前記ファイル数条件、使用率条件およびデータ量条件のうちいずれか１つを選択する送信条件選択手段を含むことを特徴とする請求項３〜５のいずれか１つに記載の電子カメラ装置。
【請求項７】
前記送信条件選択手段によって、送信条件としてファイル数条件が選択されたとき、利用者によって操作され、予め定めるファイル数が入力されるファイル数入力手段を含むことを特徴とする請求項６記載の電子カメラ装置。
【請求項８】
前記送信条件選択手段によって、前記送信条件として使用率条件が選択されたとき、利用者によって操作され、予め定める使用率が入力される使用率入力手段を含むことを特徴とする請求項６記載の電子カメラ装置。
【請求項９】
前記送信条件選択手段によって、前記送信条件としてデータ量条件が選択されたとき、利用者によって操作され、予め定めるデータ量が入力されるデータ量入力手段を含むことを特徴とする請求項６記載の電子カメラ装置。
【請求項１０】
前記記憶手段は、画像データファイルと日時とを関連付けて記憶し、
前記画像データファイル選択手段は、記憶手段に記憶された画像データファイルのうち、日時が最も古い画像データファイルから順に選択することを特徴とする請求項１記載の電子カメラ装置。
【請求項１１】
前記画像データファイル選択手段は、前記記憶手段に記憶された画像データファイルのうち、データ量が最も大きい画像データファイルから順に選択することを特徴とする請求項１記載の電子カメラ装置。
【請求項１２】
前記通信手段は、画像データファイルの送信完了後に、記憶手段に記憶された画像データファイルのうち、送信された画像データファイルを消去することを特徴とする請求項１記載の電子カメラ装置。
【請求項１３】
前記電子カメラ装置本体は、記憶手段に記憶された画像データファイルを表示する表示手段と、利用者によって操作され、画像データファイルの消去の指示が入力される消去入力手段とをさらに有し、
画像データファイルの送信完了後、いずれの画像データファイルが送信されたかを示す送信済み情報が表示手段に表示されることを特徴とする請求項１記載の電子カメラ装置。
【請求項１４】
前記送信先は、インターネットアドレスであることを特徴とする請求項１または２記載の電子カメラ装置。
【発明の詳細な説明】
【技術分野】
【０００１】
本発明は、画像を撮像して画像データを生成する撮像手段、生成された画像データをファイル化して記憶する記憶手段、および記憶手段に記憶された画像データファイルを送信先に送信する通信手段を備える電子カメラ装置に関する。
【背景技術】
【０００２】
従来の技術の電子カメラ装置において、画像を撮像して生成される画像データをファイル化してメモリに記憶するとき、メモリに記憶可能な画像データファイルのファイル数は、メモリの容量に依存する。メモリの空き容量が、メモリに記憶させる画像データファイルのデータ量よりも小さいときには、新たに得られた画像データファイルをメモリに記憶させることができない。そこで、従来の技術の電子カメラ装置では、ＵＳＢ（Universal Serial Bus）ケーブルなどを用いて、たとえばパーソナルコンピュータ（
Personal Computer；略称：ＰＣ）と電子カメラ装置とを接続して、メモリに記憶された画像データファイルをＰＣの記憶部、たとえばハードディスクに記憶させた後、メモリに記憶されている画像データファイルのうち、ＰＣのハードディスクに記憶させた画像データファイルを消去することによってメモリの空き容量を確保し、確保された空き容量に、新たに得られた画像データファイルを記憶させている。
【０００３】
また、電子カメラ装置にメモリカードが着脱可能に構成される他の従来の技術の電子カメラ装置において、メモリカードの空き容量が全くない場合またはメモリカードの空き容量がメモリカードに記憶させる画像データファイルのデータ量よりも小さい場合には、電子カメラ装置からメモリカードを取り外し、少なくとも新たに記憶させる画像データファイルのデータ量よりも大きい空き容量を有するメモリカードを装着することによって、新たに得られた画像データファイルをメモリカードに記憶させるようにしている。
【０００４】
さらに他の従来の技術は、特許文献１に記載されている。特許文献１に記載の電子カメラシステムは、電子カメラおよび通信ユニットを備える。電子カメラシステムでは、電子カメラが、メモリカードに記録される画像データファイルのデータ量が所定量となった場合にこれを検出し、メモリカードから画像データファイルを読出して通信ユニットに送出し、電子カメラから通信ユニットに送られた画像データファイルを、位置登録した最寄りの基地局を介して自宅のＰＣまたは予め加入しているコンピュータネットワークのサーバなどに送信するように構成される。電子カメラシステムにおいて、前記画像データファイルを、基地局を介してＰＣまたはサーバなどに送信した後は、メモリカードに記録している画像データファイルのうち、基地局を介してＰＣおよびサーバなどに送信した画像データファイルを消去する。
【０００５】
【特許文献１】特開２００１−６９３８４号公報
【発明の開示】
【発明が解決しようとする課題】
【０００６】
前述の特許文献１に記載の従来の技術では、メモリカードに記録される画像データファイルのデータ量が所定量となったことを検出して、画像データファイルを通信ユニットからＰＣまたはサーバに対して送信するとき、画像データファイルの送信が完了するまでは、電子カメラおよび通信ユニットへの電力供給を続行させなければならない。このため、利用者は、画像データファイルの送信が完了するまで待たなければ、電子カメラの電源切断操作を行うことができないので、利用者にとって利便性が低いという問題がある。
【０００７】
また、画像データファイルを送信しているときは、常にバッテリの電力を必要とし、送信する画像データファイルのファイル数が増えるにつれて、送信時間が長くなり、バッテリの電力消費量が増加する。したがって、送信する画像データファイルのファイル数が多い場合には、比較的短時間で電子カメラのバッテリを交換しなければならず、バッテリの電力を有効に活用することができないという問題がある。
【０００８】
本発明の目的は、電源の電力を有効に活用することができ、利用者に対する利便性を向上することができる電子カメラ装置を提供することである。
【課題を解決するための手段】
【０００９】
本発明は、画像を撮像して画像データを生成する撮像手段を有する電子カメラ装置本体と、
生成された画像データをファイル化して記憶する記憶手段と、
記憶手段に記憶された画像データファイルを選択する画像データファイル選択手段と、
記憶手段に記憶された画像データファイルのうち、画像データファイル選択手段によって選択された画像データファイルを送信先に送信する通信手段と、
利用者によって操作され、少なくとも電子カメラ装置の電源の投入および切断の指示が入力される操作手段と、
少なくとも電子カメラ装置本体、記憶手段および通信手段に対して駆動電力を供給するための電源手段と、
利用者によって操作手段から電源の切断の指示が入力された場合、通信手段が画像データファイルの送信動作を行っているか否かを検出し、
通信手段が送信動作を行っていることを検出したとき、通信手段および記憶手段への駆動電力の供給を続行し、かつ電子カメラ装置本体への駆動電力の供給を停止するように、電源手段を制御し、
通信手段が送信動作を行っていないことを検出したとき、少なくとも電子カメラ装置本体、通信手段および記憶手段への駆動電力の供給を停止するように、電源手段を制御する電源制御手段とを含むことを特徴とする電子カメラ装置である。
【００１０】
また本発明は、前記通信手段は、記憶手段の使用状況が所定の送信条件を満たすときに、記憶手段に記憶された画像データファイルのうち、画像データファイル選択手段によって選択された画像データファイルを送信先に送信することを特徴とする。
【００１１】
さらに本発明は、前記電子カメラ装置本体は、記憶手段に記憶された画像データファイルのファイル数を計数する計数手段を有し、
前記所定の送信条件とは、計数手段によって計数された前記画像データファイルのファイル数が予め定めるファイル数以上となるファイル数条件であることを特徴とする。
【００１２】
さらに本発明は、前記電子カメラ装置本体は、記憶手段の容量に対する記憶手段に記憶されているすべての画像データファイルのデータ量の割合を表す使用率を検出する使用率検出手段を有し、
前記所定の送信条件とは、使用率検出手段によって検出された使用率が予め定める使用率以上となる使用率条件であることを特徴とする。
【００１３】
さらに本発明は、前記電子カメラ装置本体は、記憶手段に記憶されているすべての画像データファイルのデータ量を検出するデータ量検出手段を有し、
前記所定の送信条件とは、データ量検出手段によって検出された前記画像データファイルのデータ量が予め定めるデータ量以上となるデータ量条件であることを特徴とする。
【００１４】
さらに本発明は、利用者の操作によって、前記ファイル数条件、使用率条件およびデータ量条件のうちいずれか１つを選択する送信条件選択手段を含むことを特徴とする。
【００１５】
さらに本発明は、前記送信条件選択手段によって、送信条件としてファイル数条件が選択されたとき、利用者によって操作され、予め定めるファイル数が入力されるファイル数入力手段を含むことを特徴とする。
【００１６】
さらに本発明は、前記送信条件選択手段によって、前記送信条件として使用率条件が選択されたとき、利用者によって操作され、予め定める使用率が入力される使用率入力手段を含むことを特徴とする。
【００１７】
さらに本発明は、前記送信条件選択手段によって、前記送信条件としてデータ量条件が選択されたとき、利用者によって操作され、予め定めるデータ量が入力されるデータ量入力手段を含むことを特徴とする。
【００１８】
さらに本発明は、前記記憶手段は、画像データファイルと日時とを関連付けて記憶し、
前記画像データファイル選択手段は、記憶手段に記憶された画像データファイルのうち、日時が最も古い画像データファイルから順に選択することを特徴とする。
【００１９】
さらに本発明は、前記画像データファイル選択手段は、前記記憶手段に記憶された画像データファイルのうち、データ量が最も大きい画像データファイルから順に選択することを特徴とする。
【００２０】
さらに本発明は、前記通信手段は、画像データファイルの送信完了後に、記憶手段に記憶された画像データファイルのうち、送信された画像データファイルを消去することを特徴とする。
【００２１】
さらに本発明は、前記電子カメラ装置本体は、記憶手段に記憶された画像データファイルを表示する表示手段と、利用者によって操作され、画像データファイルの消去の指示が入力される消去入力手段とをさらに有し、
画像データファイルの送信完了後、いずれの画像データファイルが送信されたかを示す送信済み情報が表示手段に表示されることを特徴とする。
さらに本発明は、前記送信先は、インターネットアドレスであることを特徴とする。
【発明の効果】
【００２２】
本発明によれば、撮像手段は、画像を撮像して画像データを生成する。記憶手段には、撮像手段によって生成された画像データが、ファイル化されて記憶される。通信手段は、記憶手段に記憶された画像データファイルのうち、画像データファイル選択手段によって選択された画像データファイルを送信先に送信する。
【００２３】
利用者によって操作手段が操作され、電子カメラ装置の電源の切断指示が入力されると、電源制御手段は、通信手段が画像データファイルの送信動作を行っているか否かを検出する。電源制御手段は、通信手段が画像データファイルの送信動作を行っていることを検出したとき、通信手段および記憶手段への駆動電力の供給を続行し、かつ電子カメラ装置本体への駆動電力の供給を停止するように、電源手段を制御する。また、電源制御手段は、通信手段が画像データファイルの送信動作を行っていないことを検出したとき、少なくとも電子カメラ装置本体、通信手段および記憶手段への駆動電力の供給を停止するように、電源手段を制御する。
【００２４】
前述のように、電子カメラ装置の電源の切断指示が入力された場合でも、画像データファイルを送信先に送信することができるので、画像データファイルの送信途中であっても、利用者は、画像データファイルの送信の完了を待つことなく、電子カメラ装置の電源切断操作を行うことができ、利便性が向上する。
【００２５】
また、利用者によって操作手段が操作され、電子カメラ装置の電源の切断指示が入力された場合でも、電源制御手段は、通信手段が画像データファイルの送信動作を行っていることを検出したとき、通信手段および記憶手段への駆動電力の供給を続行するように電源手段を制御するので、確実に画像データファイルを送信先に送信することができる。
【００２６】
また電源制御手段は、通信手段が画像データファイルの送信動作を行っていることを検出したとき、電子カメラ装置本体への駆動電力の供給を停止するように電源手段を制御するので、電源手段の電力を節約して画像を撮像するときに用いるなどして、電源手段の電力を有効に活用することができる。
【００２７】
また本発明によれば、記憶手段の使用状況が所定の送信条件を満たすときには、記憶手段に記憶された画像データファイルのうち、画像データファイル選択手段によって選択された画像データファイルが、通信手段によって送信先に送信される。したがって、利用者は、送信条件に応じて画像データファイルを送信先に送信させるための操作を行う必要がない。これによって、送信条件に応じて画像データファイルを送信先に送信するときの利便性を向上することができる。
【００２８】
また本発明によれば、計数手段は、記憶手段に記憶された画像データファイルのファイル数を計数する。計数手段によって計数された画像データファイルのファイル数が、予め定めるファイル数以上となるファイル数条件を満たすときには、記憶手段に記憶された画像データファイルのうち、画像データファイル選択手段によって選択された画像データファイルが、通信手段によって送信先に送信される。したがって、利用者は、ファイル数条件に応じて画像データファイルを送信先に送信させるための操作を行う必要がない。これによって、ファイル数条件に応じて画像データファイルを送信先に送信するときの利便性を向上することができる。
【００２９】
また本発明によれば、使用率検出手段は、記憶手段の容量に対する記憶手段に記憶されているすべての画像データファイルのデータ量の割合を表す使用率を検出する。使用率検出手段によって検出された使用率が、予め定める使用率、たとえば８０％以上となる使用率条件を満たすときには、記憶手段に記憶された画像データファイルのうち、画像データファイル選択手段によって選択された画像データファイルが、通信手段によって送信先に送信される。したがって、利用者は、使用率条件に応じて画像データファイルを送信先に送信させるための操作を行う必要がない。これによって、使用率条件に応じて画像データファイルを送信先に送信するときの利便性を向上することができる。
【００３０】
また本発明によれば、データ量検出手段は、記憶手段に記憶されているすべての画像データファイルのデータ量を検出する。データ量検出手段によって検出された画像データファイルのデータ量が、予め定めるデータ量、たとえば８０メガバイト以上となるデータ量条件を満たすときに、記憶手段に記憶された画像データファイルのうち、画像データファイル選択手段によって選択された画像データファイルが、通信手段によって送信先に送信される。したがって、利用者は、データ量条件に応じて画像データファイルを送信先に送信させるための操作を行う必要がない。これによって、データ量条件に応じて画像データファイルを送信先に送信するときの利便性を向上することができる。
【００３１】
また本発明によれば、送信条件選択手段は、ファイル数条件、使用率条件およびデータ量条件のうちいずれか１つを選択する。送信条件選択手段によって選択された、ファイル数条件、使用率条件およびデータ量条件のうちいずれか１つの送信条件に基づいて、画像データファイル選択手段によって選択された画像データファイルが、通信手段によって送信先に送信される。前述のように、利用者は、送信条件選択手段によって、ファイル数条件、使用率条件およびデータ量条件のうちいずれか１つを、たとえば記憶手段の容量に応じて選択することができるので、利便性が向上する。
【００３２】
また本発明によれば、利用者によって送信条件選択手段が操作され、送信条件としてファイル数条件が選択されたとき、ファイル数入力手段は、利用者によって操作され、利用者の操作によってファイル数が入力される。前述のように、利用者は、ファイル数入力手段を操作することによって、たとえば記憶手段の容量に応じてファイル数を入力することができる。
【００３３】
また本発明によれば、利用者によって送信条件選択手段が操作され、送信条件として使用率条件が選択されたとき、使用率入力手段は、利用者によって操作され、利用者の操作によって使用率が入力される。前述のように、利用者は、使用率入力手段を操作することによって、たとえば記憶手段の容量に応じて使用率を入力することができる。
【００３４】
また本発明によれば、利用者によって送信条件選択手段が操作され、送信条件としてデータ量条件が選択されたとき、データ量入力手段は、利用者によって操作され、利用者の操作によってデータ量が入力される。前述のように、利用者は、データ量入力手段を操作することによって、たとえば記憶手段の容量に応じてデータ量を入力することができる。
【００３５】
また本発明によれば、記憶手段には、画像データファイルと日時とが関連付けられて記憶される。画像データファイル選択手段は、記憶手段に記憶された画像データファイルのうち、日時が最も古い画像データファイルから順に選択するので、日時が最も古い画像データファイルから順に、送信先に送信することができる。
【００３６】
また本発明によれば、画像データファイル選択手段は、記憶手段に記憶された画像データファイルのうち、データ量が最も大きい画像データファイルから順に選択するので、データ量が最も大きい画像データファイルから順に、送信先に送信することができる。
【００３７】
また本発明によれば、画像データファイルの送信完了後に、記憶手段に記憶された画像データファイルのうち、送信された画像データファイルが、通信手段によって消去される。これによって、新たに取得した画像データファイルを記憶させるための記憶領域が記憶手段に確保され、確保された記憶手段の記憶領域に、新たに取得した画像データファイルを記憶させることができる。
【００３８】
また本発明によれば、表示手段には、画像データファイルの送信完了後、記憶手段に記憶された画像データファイルのうちいずれの画像データファイルが送信されたかを示す送信済み情報が表示される。送信済み情報は、送信された画像データファイルなどの画像情報および「送信済み」などの文字情報の少なくとも一方である。したがって、利用者は、表示手段に表示される送信済み情報を見て、いずれの画像データファイルが送信されたかを即座に確認することができる。また、利用者は、表示手段に表示される送信済み情報を見て、いずれの画像データファイルが送信されたかを確認した後で、消去入力手段を操作して、画像データファイルの消去の指示を入力することができるので、消去すべきではない画像データファイルを誤って消去することを防ぐことができる。
【００３９】
また本発明によれば、画像データファイル選択手段によって選択された画像データファイルを送信する送信先は、インターネットアドレス、たとえばユニフォームリソースロケータ（Uniform Resource Locator；略称：ＵＲＬ）である。したがって、通信手段は、たとえばインターネットに接続されるサーバのＵＲＬ宛てに、画像データファイル選択手段によって選択された画像データファイルを送信することができる。
【発明を実施するための最良の形態】
【００４０】
図１は、本発明の実施の一形態である電子カメラ装置１の電気的構成を示すブロック図である。電子カメラ装置１は、画像を撮像して生成された画像データをファイル化して記憶するとともに、記憶された画像データファイルを送信先に送信することができる装置である。
【００４１】
電子カメラ装置１は、電子カメラ装置本体部２、メモリ部３、通信部４、操作部５、バッテリ（Battery）６およびバッテリ制御部７を含んで構成される。電子カメラ装置本体部２は、撮像レンズ１１、電化結合素子（Charge Coupled Device；略称：ＣＣＤ）イメージセンサ（以下、単に「ＣＣＤ」と表記する場合がある）１２、アナログ／デジタル（Analog／Digital；略称：Ａ／Ｄ）変換部１３、画像バッファ１４、画像処理部１５、メモリ制御部１６、表示部１７および電子カメラ制御部１８を含む。通信部４は、通信バッファ２１、通信制御部２２およびアンテナ２３を含む。
【００４２】
メモリ部３には、画像を撮像して生成した画像データに基づく画像データファイルが記憶される。本実施形態では、メモリ部３は、不揮発性の記録媒体であるフラッシュメモリカード、たとえばコンパクトフラッシュ（登録商標）カードによって実現される。メモリ部３は、コンパクトフラッシュ（登録商標）カードに限らず、本発明の他の実施形態では、たとえば不揮発性の記録媒体であるスマートメディア（登録商標）カードによって実現されてもよい。
【００４３】
操作部５は、数字データ、文字データおよび電子カメラ装置１への指示を表す所定の情報を入力するための複数の操作キーを有している。利用者は、複数の操作キーを操作することによって、電子カメラ制御部１８に対して、各操作キーに対応した指示信号を与える。
【００４４】
本実施形態における操作部５の複数の操作キーは、電源キー、決定キー、カーソルキー、数字キー、動作モードキー、シャッタキーおよび消去キーを含む。電源キーは、電子カメラ装置１の電源の投入および切断の指示を入力するときに操作される。決定キーは、所定の入力および選択を決定するときに操作される。カーソルキーは、上下左右の各キーによって構成され、後述する表示部１７に表示されるカーソルの移動を行うときに操作される。
【００４５】
数字キーは、少なくとも利用者によってファイル数条件が選択されたときに所定のファイル数を入力するとき、利用者によって使用率条件が選択されたときに所定の使用率を入力するとき、および利用者によってデータ量条件が選択されたときに所定のデータ量を入力するときに操作される。
【００４６】
ここで、ファイル数条件は、電子カメラ制御部１８によって計数される画像データファイルのファイル数が、利用者によって操作部５の数字キーが操作されて入力されるファイル数以上となる送信条件である。使用率条件は、電子カメラ制御部１８によって検出される使用率が、利用者によって操作部５の数字キーが操作されて入力される使用率以上となる送信条件である。データ量条件は、電子カメラ制御部１８によって検出される画像データファイルのデータ量が、利用者によって操作部５の数字キーが操作されて入力されるデータ量以上となる送信条件である。
【００４７】
動作モードキーは、画像を撮像して生成した画像データをファイル化してメモリ部３に記憶するときに操作される撮像モードキーと、後述する通信バッファ２１に記憶されている画像データファイルを送信先に送信するときに操作される送信モードキーとを含む。利用者によって撮像モードキーが操作されると、画像を撮像して生成した画像データをファイル化してメモリ部３に記憶する撮像モードが実行され、利用者によって送信モードキーが操作されると、通信バッファ２１に記憶されている画像データファイルを送信先に送信する送信モードが実行される。
【００４８】
シャッタキーは、撮像された画像データを後述する画像バッファ１４に記憶するための指示を入力するときに操作される。消去キーは、たとえばメモリ部３に記憶されている画像データファイルのうち、通信部４によって送信された画像データファイルを消去するときに操作される。また、消去キーは、撮像されてメモリ部３に記憶された画像データファイルを個別に消去するとき、日付、データファイル名およびデータ容量などに基づいて分類され、複数の画像データファイルを含むフォルダを消去するとき、ならびにメモリ部３に記憶されているすべての画像データファイルを消去するときに操作される。
【００４９】
利用者は、消去キーを操作することによって、メモリ部３に記憶されている画像データファイルのうち、通信部４によって送信された画像データファイルを消去することができる。また利用者は、消去キーを操作することによって、メモリ部３に記憶された画像データファイルを個別に消去したり、複数の画像データファイルを含むフォルダを消去したり、メモリ部３に記憶されているすべての画像データファイルを消去することができる。
【００５０】
撮像レンズ１１は、被写体を撮像したとき、被写体の光像をＣＣＤ１２上に結像させる。ＣＣＤ１２は、撮像素子であり、ＣＣＤ１２の受光面には、半球状のマイクロレンズを有する多数のフォトダイオードがマトリクス状に配列されている。また、ＣＣＤ１２は、赤（Ｒ），緑（Ｇ），青（Ｂ）の３色のカラーフィルタを備えており、被写体で反射されて撮像レンズを介して入射した光は、カラーフィルタを通してＲ，Ｇ，Ｂの３色光にされる。撮像レンズ１１を介してＣＣＤ１２の受光面のマイクロレンズに結像された被写体像は、各フォトダイオードによってＲ，Ｇ，Ｂの３色光の入射光量に応じた量の信号電荷に変換されて蓄積される。各フォトダイオードに蓄積された信号電荷は、信号電荷に応じた電圧信号（画像信号）として出力される。ＣＣＤ１２から出力された画像信号は、Ａ／Ｄ変換部１３に与えられる。
【００５１】
Ａ／Ｄ変換部１３は、Ａ／Ｄ変換器によって実現され、ＣＣＤ１２から出力されたＲ，Ｇ，Ｂの３色光のそれぞれに対応したアナログ信号である画像信号を、デジタル信号に変換して非圧縮の画像データを生成し、この非圧縮の画像データを画像バッファ１４に与える。
【００５２】
画像バッファ１４は、Ａ／Ｄ変換部１３から与えられた非圧縮の画像データを記憶する。画像バッファ１４は、シンクロナスダイナミックランダムアクセスメモリ（
Synchronous Dynamic Random Access Memory；略称：ＳＤＲＡＭ）などの揮発性メモリによって実現される。
【００５３】
画像処理部１５は、圧縮伸長回路を備える。画像処理部１５は、画像バッファ１４に記憶された非圧縮の画像データを読出し、読出した画像データに対して圧縮伸長回路によって予め定める圧縮処理、本実施形態では、ＪＰＥＧ（Joint Photographic Experts Group）形式の圧縮処理を施し、圧縮された画像データをファイル化する。圧縮され、かつファイル化された画像データファイルは、メモリ制御部１６に与えられる。
【００５４】
メモリ制御部１６は、画像処理部１５から与えられた画像データファイルを、メモリ部３に記憶させる。また、メモリ制御部１６は、メモリ部３に記憶されている画像データファイルを選択的に読出し、画像処理部１５に与える。画像処理部１５では、メモリ制御部１６から与えられた画像データファイルに対して、圧縮伸長回路によって伸長処理を施すとともに、伸長された画像データを画像バッファ１４に送り、記憶させる。
【００５５】
画像処理部１５から与えられ、かつ画像バッファ１４に記憶された画像データは、後述する電子カメラ制御部１８からの指示に基づいて、後述する表示部１７に表示される。
【００５６】
表示部１７は、少なくともメモリ部３に記憶されている画像データファイル、および利用者によって選択される所定の選択項目を含むメニュー画面を表示する。本実施形態では、選択項目として、ファイル数条件、使用率条件およびデータ量条件などの送信条件が、表示部１７に表示される。利用者は、表示部１７に表示されたファイル数条件、使用率条件およびデータ量条件などの送信条件を見て、操作部５のカーソルキーを操作することによって、ファイル数条件、使用率条件およびデータ量条件のうちいずれか１つの送信条件を選択することができる。
【００５７】
本実施形態の表示部１７は、たとえばカラー表示可能な液晶ディスプレイによって実現される。表示部１７は、カラー表示可能な液晶ディスプレイに限らず、本発明の他の実施形態では、カラー表示可能なエレクトロルミネッセンスディスプレイによって実現されてもよい。
【００５８】
電子カメラ制御部１８は、中央演算処理装置（Central Processing Unit；略称：ＣＰＵ）を含んで実現され、その内部に記憶される制御プログラムに基づいて、操作部５、画像バッファ１４、画像処理部１５、メモリ制御部１６、表示部１７および後述する通信制御部２２を含むハードウェア資源を制御する。電子カメラ制御部１８は、メモリ部３に記憶された画像データファイルのファイル数を計数する。また、電子カメラ制御部１８は、メモリ部３の容量に対するメモリ部３に記憶されているすべての画像データファイルのデータ量の割合を表す使用率の検出、およびメモリ部３に記憶されているすべての画像データファイルのデータ量の検出を行う。
【００５９】
さらに、電子カメラ制御部１８は、メモリ部３の使用状況が、利用者によってカーソルキーが操作されて選択された送信条件を満たすか否かを判断する。電子カメラ制御部１８が、メモリ部３の使用状況が前記送信条件を満たすと判断したときは、メモリ部３に記憶されている画像データファイルを送信先に送信する指示を示す情報（以下、「送信指示情報」と表記する場合がある）を、後述する通信部４の通信制御部２２に与える。
【００６０】
通信バッファ２１には、後述する通信制御部２２の指示に基づいてメモリ部３から読出された画像データファイルが一時的に記憶される。
【００６１】
通信制御部２２は、ＣＰＵを含んで実現され、その内部には制御プログラムが記憶される。通信制御部２２は、制御プログラムを実行することによって、電子カメラ制御部１８から与えられた送信指示情報に基づいて、メモリ部３に記憶されている画像データファイルを読出して通信バッファ２１に記憶させる。また通信制御部２２は、通信バッファ２１に記憶された画像データファイルを、アンテナ２３を介して送信先に送信させる。
【００６２】
利用者によって電源キーが操作され、電子カメラ装置１の電源切断の指示が入力された場合、操作部５は、電源切断の指示が入力されたことを示す情報をバッテリ制御部７に与える。
【００６３】
バッテリ６は、少なくとも電子カメラ装置本体部２、メモリ部３および通信部４に対して駆動電力を供給する。バッテリ６は、たとえば交換可能に設けられる内部電源である。本実施形態において、バッテリ６は、バッテリの電力量が残っている限り、操作部５に対して常に電力の供給を行う。
【００６４】
バッテリ制御部７は、ＣＰＵを含んで実現され、その内部に記憶される制御プログラムに基づいて、通信部４が画像データファイルの送信動作を行っているか否かを検出し、通信部４が画像データファイルの送信動作を行っていることを検出したとき、通信部４およびメモリ部３への駆動電力の供給を続行し、かつ電子カメラ装置本体部２への駆動電力の供給を停止するように、バッテリ６を制御する。また、バッテリ制御部７は、通信部４が画像データファイルの送信動作を行っていないことを検出したとき、少なくとも電子カメラ装置本体部２、通信部４およびメモリ部３への駆動電力の供給を停止するように、バッテリ６を制御する。
【００６５】
本実施形態において、電子カメラ装置本体部２は電子カメラ装置本体に相当する。メモリ部３は、記憶手段に相当し、通信部４は通信手段に相当する。操作部５は、操作手段、送信条件選択手段、ファイル数入力手段、使用率入力手段、データ量入力手段および消去入力手段に相当する。撮像レンズ１１およびＣＣＤ１２は、撮像手段に相当する。表示部１７は、表示手段に相当する。電子カメラ制御部１８は、計数手段、使用率検出手段およびデータ量検出手段に相当する。通信制御部２２は、画像データファイル選択手段に相当する。バッテリ６は、電源手段に相当し、バッテリ制御部７は電源制御手段に相当する。
【００６６】
図２は、電子カメラ装置１を含む通信システムを説明するための図である。通信システムは、電子カメラ装置１、基地局３１、サーバ３３および通信端末装置３４を含んで構成される。通信端末装置３４は、たとえばパーソナルコンピュータ（Personal Computer；略称：ＰＣ）によって実現される。通信システムにおいて、基地局３１、サーバ３３および通信端末装置は、インターネット３２と接続されている。
【００６７】
電子カメラ装置１の電子カメラ装置本体部２で撮像されてメモリ部３に記憶された画像データファイルのうち、通信制御部２２によって選択された画像データファイルは、アンテナ２３を介して電子カメラ装置１の最寄りの基地局３１に一旦送信された後、基地局３１とインターネット３２を介して接続されるサーバ３３の所在を示すインターネットアドレス、たとえばＵＲＬ（Uniform Resource Locator）宛てに送信され、サーバ３３に記憶される。
【００６８】
インターネット３２を介してサーバ３３と接続される通信端末装置３４の利用者は、サーバ３３に対して、サーバ３３に記憶されている所定の画像データファイルの取得要求を示す信号を送信することによって、サーバ３３から、所定の画像データファイルを取得することができる。
【００６９】
図３は、電子カメラ制御部１８の動作処理を示すフローチャートである。図４は、通信制御部２２の動作を示すフローチャートである。本実施形態では、利用者によって操作部５が操作されて、送信条件としてファイル数条件が選択された場合について説明する。
【００７０】
電子カメラ制御部１８の動作処理は、利用者によって撮像モードキーが押下されたときに開始する。ステップａ１では、電子カメラ制御部１８は、メモリ部３に記憶されている画像データファイルのファイル数が予め定めるファイル数未満か否かを判断する。ステップａ１において、電子カメラ制御部１８が、メモリ部３に記憶されている画像データファイルのファイル数が予め定めるファイル数以上であると判断したときは、ステップａ２に進み、メモリ部３に記憶されている画像データファイルのファイル数が予め定めるファイル数未満であると判断したときは、ステップａ３に進む。
【００７１】
ステップａ２では、電子カメラ制御部１８は、画像データファイルを送信する指示を示す情報を通信制御部２２に与える。その後、後述する図４のステップｂ１に進む。
【００７２】
ステップａ３では、電子カメラ制御部１８は、利用者によって操作部５のシャッタキーが押下されたか否かを判断する。ステップａ３において、電子カメラ制御部１８が、利用者によって操作部５のシャッタキーが押下されたと判断したときは、ステップａ４に進み、電子カメラ制御部１８が、利用者によって操作部５のシャッタキーが押下されていないと判断したときは、ステップａ１に戻り、再度前述の処理を行う。
【００７３】
ステップａ４では、電子カメラ制御部１８は、画像を撮像して生成され、画像バッファ１４に記憶された画像データに対する圧縮処理およびファイル化処理などの画像処理を、画像処理部１５に実行させる。ステップａ５では、電子カメラ制御部１８は、画像処理が施された画像データをメモリ部３に記憶させる。その後は、ステップａ１に戻り、前述の処理を繰返し行う。
【００７４】
通信制御部２２の動作処理は、電子カメラ制御部１８から与えられる画像データファイルを送信する指示を示す情報を取得したときに開始する。ステップｂ１では、通信制御部２２は、利用者によって操作部の送信モードキーが操作されることによって、送信モードに設定されているか否かを判断する。ステップｂ１において、通信制御部２２が、送信モードに設定されていると判断したときは、ステップｂ２に進み、通信制御部２２が、送信モードに設定されていないと判断したときは、ステップｂ４に進む。
【００７５】
ステップｂ２では、通信制御部２２は、メモリ部３の使用状況が送信条件を満足しているか否かを判断する。本実施形態では、通信制御部２２は、メモリ部３に記憶されている画像データファイルのファイル数が、利用者によって操作部５の数字キーが操作されて入力されるファイル数以上となるファイル数条件を満足しているか否かを判断する。本実施形態では、利用者によって操作部５の数字キーが操作されて、たとえば数値「５０」が入力される。
【００７６】
ステップｂ２において、通信制御部２２が、メモリ部３の使用状況が送信条件、本実施形態ではメモリ部３に記憶されている画像データファイルのファイル数が５０以上となるファイル数条件を満足していると判断したときは、ステップｂ３に進む。ステップｂ２において、通信制御部２２が、メモリ部３の使用状況が送信条件、本実施形態ではメモリ部３に記憶されている画像データファイルのファイル数が５０以上となるファイル数条件を満足していないと判断したときは、ステップｂ４に進む。
【００７７】
ステップｂ３では、通信制御部２２は、通信部４およびメモリ部３への駆動電力の供給を続行する指示を示す情報をバッテリ制御部７に与える。ステップｂ３の処理の終了後は、ステップｂ５に進む。
【００７８】
ステップｂ４では、通信制御部２２は、通信部４およびメモリ部３への駆動電力の供給を停止する指示を示す情報をバッテリ制御部７に与える。ステップｂ４の処理を終了した後は、図３のステップａ１に戻り、前述の処理を繰返し行う。
【００７９】
ステップｂ５では、通信制御部２２は、アンテナ２３を介して画像データファイルを送信するための通信が可能であるか否かを判断する。ここで、通信が可能であるか否かは、たとえば通信制御部２２が最寄りの基地局３１と位置登録処理を行うことができるか否かによって判断する。つまり、通信制御部２２が最寄りの基地局３１と位置登録処理を行うことができる場合は、通信が可能であると判断し、通信制御部２２が最寄りの基地局３１と位置登録処理を行うことができない場合は、通信が不可能であると判断する。
【００８０】
ステップｂ５において、通信制御部２２が通信は可能であると判断したときは、ステップｂ６に進む。ステップｂ５において、通信制御部２２が通信は不可能であると判断したときは、ステップｂ１に戻り、再度前述の処理を行う。
【００８１】
ステップｂ６では、通信制御部２２は、メモリ部３に記憶された画像データファイルを１つ選択する。本実施形態では、通信制御部２２は、メモリ部３に記憶された画像データファイルのうち、日時が最も古い画像データファイルから順に選択する。
【００８２】
ステップｂ７では、通信制御部２２は、ステップｂ６で選択した１つの画像データファイルを通信バッファ２１に記憶させる。
【００８３】
ステップｂ８では、通信制御部２２は、通信バッファ２１に記憶された１つの画像データファイルを、アンテナ２３を介して送信先に送信する。本実施形態では、通信制御部２２によって選択された画像データファイルを送信する送信先は、インターネットアドレス、たとえばユニフォームリソースロケータ（Uniform Resource Locator；略称：ＵＲＬ）である。したがって、電子カメラ装置１では、たとえばインターネット３２に接続されるサーバ３３のＵＲＬ宛てに、通信制御部２２によって選択された画像データファイルを送信することができる。
【００８４】
ステップｂ９では、通信制御部２２は、１つの画像データファイルの送信が完了したか否かを判断する。ステップｂ９において、通信制御部２２が、１つの画像データファイルの送信が完了したと判断したときは、ステップｂ１０に進み、通信制御部２２が、１つの画像データファイルの送信が完了していないと判断したときは、ステップｂ８に戻り、通信バッファ２１に記憶された１つの画像データファイルを、アンテナ２３を介して送信先に送信する。
【００８５】
ステップｂ１０では、通信制御部２２は、１つの画像データファイルの送信が成功したか否かを判断する。ここで、画像データファイルの送信が成功したか否か、換言すればエラーを発生せずに画像データファイルの送信を完了することができたか否かは、たとえば通信制御部２２が、送信先からの画像データファイルを受信したことを示す確認信号に基づいて判断する。
【００８６】
ステップｂ１０において、通信制御部２２が、１つの画像データファイルの送信が成功したと判断したときは、ステップｂ１１に進む。ステップｂ１０において、通信制御部２２が、１つの画像データファイルの送信に失敗したと判断したときは、ステップｂ１に戻り、再度前述の処理を行う。
【００８７】
ステップｂ１１では、通信制御部２２は、メモリ部３に記憶されている画像データファイルのうち、送信された１つの画像データファイルを消去する。ステップｂ１１の処理の終了後は、ステップｂ１に戻り、前述の処理を繰返し行う。
【００８８】
図５は、バッテリ制御部７の動作を示すフローチャートである。バッテリ制御部７の動作処理は、利用者によって電源キーが操作されたときに開始する。
【００８９】
ステップｃ１では、バッテリ制御部７は、操作部５からの電子カメラ装置１の電源投入の指示を示す情報（以下、単に「電源投入情報」と表記する場合がある）を取得したか否かを判断する。ステップｃ１において、バッテリ制御部７が、電源投入情報を取得したと判断したときは、ステップｃ２に進み、バッテリ制御部７が、電源投入情報を取得していないと判断したときは、ステップｃ３に進む。
【００９０】
ステップｃ２では、バッテリ制御部７は、電子カメラ装置本体部２、通信部４およびメモリ部３に対して、駆動電力を供給する。ステップｃ２の処理の終了後は、ステップｃ１に戻り、再度前述の処理を行う。
【００９１】
ステップｃ３では、バッテリ制御部７は、操作部５からの電子カメラ装置１の電源切断の指示を示す情報（以下、単に「電源切断情報」と表記する場合がある）を取得したか否かを判断する。ステップｃ３において、バッテリ制御部７が、電源切断情報を取得したと判断したときは、ステップｃ４に進む。ステップｃ３において、バッテリ制御部７が、電源切断情報を取得していないと判断したときは、ステップｃ１に戻り、再度前述の処理を行う。
【００９２】
ステップｃ４では、バッテリ制御部７は、通信制御部２２からの通信部４およびメモリ部３への駆動電力の供給を続行する指示を示す情報（以下、単に「電力供給続行情報」と表記する場合がある）を取得したか否かを判断する。ステップｃ４において、バッテリ制御部７が、電力供給続行情報を取得したと判断したときは、ステップｃ６に進む。ステップｃ４において、バッテリ制御部７が、電力供給続行情報を取得していないと判断したときは、ステップｃ５に進む。
【００９３】
ステップｃ５では、バッテリ制御部７は、電子カメラ装置本体部２、通信部４およびメモリ部３への駆動電力の供給を停止する。ステップｃ５の処理の終了後は、ステップｃ１に戻り、再度前述の処理を行う。
【００９４】
ステップｃ６では、バッテリ制御部７は、通信部４およびメモリ部３への駆動電力の供給を続行し、かつ電子カメラ装置本体部２への駆動電力の供給を停止する。ステップｃ６の処理の終了後は、ステップｃ１に戻り、再度前述の処理を行う。
【００９５】
前述のように本実施形態によれば、利用者によって操作部５の電源キーが操作され、電子カメラ装置１の電源の切断指示が入力された場合でも、画像データファイルを送信先に送信することができるので、画像データファイルの送信途中であっても、利用者は、画像データファイルの送信の完了を待つことなく、電子カメラ装置１の電源切断操作を行うことができ、利便性が向上する。
【００９６】
またバッテリ制御部７は、通信部４が画像データファイルの送信動作を行っていることを検出したとき、電子カメラ装置本体部２への駆動電力の供給を停止するようにバッテリ６を制御するので、バッテリ６の電力を節約して画像を撮像するときに用いるなどして、バッテリ６の電力を有効に活用することができる。
【００９７】
また、利用者によって操作部５の電源キーが操作され、電子カメラ装置１の電源の切断指示が入力された場合でも、バッテリ制御部７が、通信部４が画像データファイルの送信動作を行っていることを検出したとき、バッテリ制御部７は、通信部４およびメモリ部３への駆動電力の供給を続行するので、確実に画像データファイルを送信先に送信することができる。
【００９８】
また本実施形態によれば、電子カメラ制御部１８は、メモリ部３に記憶された画像データファイルのファイル数を計数する。電子カメラ制御部１８によって計数された画像データファイルのファイル数が、利用者によって操作部５の数字キーが操作されて入力されるファイル数以上となるファイル数条件を満たすときには、メモリ部３に記憶された画像データファイルのうち、通信制御部２２によって選択された画像データファイルが、通信部４によって送信先に送信される。したがって、利用者は、ファイル数条件に応じて画像データファイルを送信先に送信させるための操作を行う必要がない。これによって、ファイル数条件に応じて画像データファイルを送信先に送信するときの利便性を向上することができる。
【００９９】
また本実施形態によれば、電子カメラ制御部１８は、メモリ部３の容量に対するメモリ部３に記憶されているすべての画像データファイルのデータ量の割合を表す使用率を検出する。電子カメラ制御部１８によって検出された使用率が、利用者によって操作部５の数字キーが操作されて入力される使用率、たとえば８０％以上となる使用率条件を満たすときには、メモリ部３に記憶された画像データファイルのうち、通信制御部２２によって選択された画像データファイルが、通信部４によって送信先に送信される。したがって、利用者は、使用率条件に応じて画像データファイルを送信先に送信させるための操作を行う必要がない。これによって、使用率条件に応じて画像データファイルを送信先に送信するときの利便性を向上することができる。
【０１００】
また本実施形態によれば、電子カメラ制御部１８は、メモリ部３に記憶されているすべての画像データファイルのデータ量を検出する。電子カメラ制御部１８によって検出された画像データファイルのデータ量が、利用者によって操作部５の数字キーが操作されて入力されるデータ量、たとえば８０メガバイト以上となるデータ量条件を満たすときに、メモリ部３に記憶された画像データファイルのうち、通信制御部２２によって選択された画像データファイルが、通信部４によって送信先に送信される。したがって、利用者は、データ量条件に応じて画像データファイルを送信先に送信させるための操作を行う必要がない。これによって、データ量条件に応じて画像データファイルを送信先に送信するときの利便性を向上することができる。
【０１０１】
また本実施形態によれば、利用者によって操作部５が操作されて、ファイル数条件、使用率条件およびデータ量条件のうちいずれか１つの送信条件が選択される。利用者によって選択された、ファイル数条件、使用率条件およびデータ量条件のうちいずれか１つの送信条件に基づいて、通信部４は、選択された画像データファイルを、送信先に送信する。前述のように、利用者は、操作部５を操作することによって、ファイル数条件、使用率条件およびデータ量条件のうちいずれか１つの送信条件を、たとえばメモリ部４の容量に応じて選択することができるので、利便性が向上する。
【０１０２】
また本実施形態によれば、画像データファイルの送信完了後に、メモリ部３に記憶された画像データファイルのうち、送信された画像データファイルが、通信制御部２２によって消去される。これによって、新たに取得した画像データファイルを記憶させるための記憶領域がメモリ部３に確保され、確保されたメモリ部３の記憶領域に、新たに取得した画像データファイルを記憶させることができる。
【０１０３】
前述の実施形態は、本発明の例示に過ぎず、本発明の範囲内において発明の構成を変更してもよい。前述の実施形態では、利用者によって操作部５が操作されて、送信条件としてファイル数条件が選択された場合について説明したが、本発明の他の実施形態では、利用者によって操作部５が操作されて、送信条件として使用率条件およびデータ量条件が選択されてもよい。また、送信条件としてファイル数条件、使用率条件およびデータ量条件が選択されたとき、利用者は、操作部５を操作することによって、たとえばメモリ部３の容量に応じてファイル数、使用率およびデータ量を入力することができる。
【０１０４】
利用者によって送信条件として使用率条件が選択された場合は、前述の通信制御部２２の動作処理を示すフローチャートのステップｂ２において、電子カメラ制御部１８によって検出され、メモリ部３の容量に対するメモリ部３に記憶されているすべての画像データファイルのデータ量の割合を表す使用率が、利用者によって入力される使用率、たとえば８０％以上となる使用率条件を満足するか否かが、通信制御部２２によって判断される。
【０１０５】
利用者によって送信条件としてデータ量条件が選択された場合は、前述の通信制御部２２の動作処理を示すフローチャートのステップｂ２において、電子カメラ制御部１８によって検出された画像データファイルのデータ量が、利用者によって入力されるデータ量、たとえば８０メガバイト以上となるデータ量条件を満足するか否かが、通信制御部２２によって判断される。
【０１０６】
前述の実施形態では、通信制御部２２が、メモリ部３に記憶された画像データファイルを１つ選択するとき、メモリ部３に記憶された画像データファイルのうち、日時が最も古い画像データファイルから順に選択するように構成されているが、本発明の他の実施形態では、メモリ部３に記憶された画像データファイルのうち、データ量が最も大きい画像データファイルから順に選択するようにしてもよい。
【０１０７】
前述の実施形態では、通信制御部２２によって選択された画像データファイルを、インターネットアドレス、たとえばインターネット３２に接続されるサーバ３３のＵＲＬ宛てに送信するように構成されているが、本発明の他の実施形態では、電子メールに画像データファイルを添付して所定の電子メールアドレス宛てに送信するようにしてもよい。
【０１０８】
前述の実施形態では、通信制御部２２が、メモリ部３に記憶された画像データファイルを選択するように構成されているが、本発明の他の実施形態では、電子カメラ制御部１８が、メモリ部３に記憶された画像データファイルを選択するようにしてもよい。
【０１０９】
また前述の実施形態では、画像データファイルの送信完了後に、メモリ部３に記憶された画像データファイルのうち、送信された画像データファイルが通信制御部２２によって消去されるように構成されているが、送信された画像データファイルを電子カメラ制御部１８によって消去されるようにしてもよい。
【０１１０】
具体的には、画像データファイルの送信完了後、表示部１７に、メモリ部３に記憶された画像データファイルのうちいずれの画像データファイルが送信されたかを示す送信済み情報を表示する。送信済み情報は、送信された画像データファイルなどの画像情報でもよいし、「送信済み」などの文字情報でもよい。このように表示部１７に送信済み情報を表示した後で、「送信済みの画像データファイルを消去しますか」などのメッセージを表示部１７に表示することによって、利用者に画像データファイルの消去の確認をさせる。利用者は、表示部１７に表示される送信済み情報を確認して画像データファイルを消去させる場合は、操作部５の消去キーを操作して、画像データファイルの消去の指示を入力する。電子カメラ制御部１８は、利用者によって入力された画像データファイルの消去の指示に応答して、送信された画像データファイルを消去する。
【０１１１】
前述のように、表示部１７に送信済み情報を表示することによって、利用者は前記送信済み情報を見て、いずれの画像データファイルが送信されたかを即座に確認することができる。また、利用者は、表示部１７に表示された送信済み情報を見て、いずれの画像データファイルが送信されたかを確認した後で、操作部５の消去キーを操作して、画像データファイルの消去の指示を入力することができるので、消去すべきではない画像データファイルを誤って消去することを防ぐことができる。
【０１１２】
また、前述の実施形態では、メモリ部３に記憶された画像データファイルを送信先に送信するときの送信条件が、利用者によって操作部５のカーソルキーが操作されて選択され、選択された送信条件を満たしたときに、通信制御部２２によって選択された画像データファイルが自動的に送信先に送信されるように構成されているが、本発明の他の実施形態では、画像データファイルを自動的に送信しないようにしてもよい。
【０１１３】
具体的には、まず、操作部５に、画像データファイルを自動的に送信しないときに利用者によって操作される非送信モードキーを設ける。利用者によって非送信モードキーが操作されたとき、メモリ部３に記憶されている画像データファイルおよびそのデータ容量などを表示部１７に表示する。利用者は、表示部１７に表示された画像データファイルおよびそのデータ容量などを確認して、送信させる画像データファイルを、操作部５を操作して選択する。通信制御部２２は、前述のようにして利用者によって選択された画像データを、選択された順に、送信先に送信する。
【図面の簡単な説明】
【０１１４】
【図１】本発明の実施の一形態である電子カメラ装置１の電気的構成を示すブロック図である。
【図２】電子カメラ装置１を含む通信システムを説明するための図である。
【図３】電子カメラ制御部１８の動作処理を示すフローチャートである。
【図４】通信制御部２２の動作処理を示すフローチャートである。
【図５】バッテリ制御部７の動作処理を示すフローチャートである。
【符号の説明】
【０１１５】
１  電子カメラ装置
２  電子カメラ装置本体部
３  メモリ部
４  通信部
５  操作部
６  バッテリ
７  バッテリ制御部
１１  撮像レンズ
１２  電荷結合素子イメージセンサ
１３  アナログ／デジタル変換部
１４  画像バッファ
１５  画像処理部
１６  メモリ制御部
１７  表示部
１８  電子カメラ制御部
２１  通信バッファ
２２  通信制御部
２３  アンテナ
【図１】
2005223543.tif 000003
【図２】
2005223543.tif 000004
【図３】
2005223543.tif 000005
【図４】
2005223543.tif 000006
【図５】
2005223543.tif 000007